【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
マルチメディアトランスポートネットワークにおけるメディア配信方法であって、
メディアパッケージ内のメディアアセットの合成情報(ＣＩ)を受信エンティティに伝送するステップと、ここで、前記メディアアセットの各々は独立的にデコード可能であり、複数のメディアフラグメントユニット（ＭＦＵ）に分割される少なくとも一つのメディアプロセシングユニット（ＭＰＵ）を含み、
前記受信エンティティのネットワーク状態（network condition) に関する情報を含むフィードバックメッセージを受信するステップと、
前記ネットワーク状態と、一つのＭＰＵ内で他の複数のＭＦＵに対する一つのＭＦＵの相対的優先度を表す優先度(priority)情報と、特定ＭＦＵに従属してデコードされなければならない他の複数のＭＦＵの個数を示す従属度カウンタに基づいて前記メディアパッケージから一つ又はそれ以上のＭＦＵを識別するステップと、
前記識別されたＭＦＵをパケットにパケット化して伝送するステップと、
を有することを特徴とする方法。
【請求項２】
前記一つ又はそれ以上のＭＦＵを識別するステップは、
前記メディアパッケージ内の前記メディアアセットに対するアセット配信特性（ＡＤＣ）の各々から前記メディアアセットの優先度を表すサービス品質(ＱｏＳ)ディスクリプタと前記メディアアセットのビットレートを表すビットストリームディスクリプタとを読み出すステップと、
前記ＡＤＣから読み出された情報を用いて、前記メディアパッケージのうち、前記ネットワーク状態に従って伝送可能な一つ又はそれ以上のメディアアセットを識別するステップと、
前記識別された一つ又はそれ以上のメディアアセットのメディアデータをパケット化することを決定するステップと、
を有することを特徴とする請求項１に記載の方法。
【請求項３】
前記一つ又はそれ以上のＭＦＵを識別するステップは、
前記ＣＩ及び前記メディアアセットに対するアセット配信特性（ＡＤＣ）を用いて、前記メディアパッケージのうち、前記ネットワーク状態に従って伝送可能な前記一つ又はそれ以上のＭＦＵを識別することを特徴とする請求項１に記載の方法。
【請求項４】
前記一つ又はそれ以上のＭＦＵを識別するステップは、
前記ＣＩ内に含まれた従属アセット識別子を読み出すステップと、
メディアアセットのタイプを決定するステップと、
前記メディアアセットに対するアセット配信特性（ＡＤＣ）の各々から該当メディアアセットのビットレートを表すビットストリームディスクリプタを読み出すステップと、
前記メディアアセットのタイプ及びビットレートに基づいて、前記ネットワーク状態に従って伝送可能な一つ又はそれ以上のメディアアセットを識別するステップと、
前記識別されたメディアアセットのメディアデータをパケット化することを決定するステップと、
を有することを特徴とする請求項３に記載の方法。
【請求項５】
前記一つ又はそれ以上のＭＦＵを識別するステップは、
前記メディアパッケージに含まれる各ＭＰＵのヘッダーから、前記優先度情報と前記従属度カウンタを獲得するステップと、
前記優先度情報及び従属度カウンタを用いて、前記ネットワーク状態によって前記ＭＰＵのＭＦＵのうちドロップする一つ又はそれ以上のＭＦＵを識別するステップと、
前記ドロップされた一つ又はそれ以上のＭＦＵを除いた残りのＭＦＵパケット化することを決定するステップと、
を有することを特徴とする請求項１に記載の方法。
【請求項６】
伝送される各パケットのヘッダーを判定するステップと、
前記パケットのヘッダーから、前記パケットに含まれて、少なくとも一つのメディアフラグメントユニット(ＭＦＵ)の相対的優先度を表す優先度情報を読み出すステップと、
前記優先度情報を用いて前記ネットワーク状態に従ってドロップする少なくとも一つのパケットを決定するステップと、
前記ドロップされた少なくとも一つのパケットを除いた残りのパケットを伝送することを決定するステップと、
をさらに有することを特徴とする請求項１に記載の方法。
【請求項７】
前記一つ又はそれ以上のＭＦＵを識別するステップは、前記メディアパッケージを提供するコンテンツサーバにより行われることを特徴とする請求項１に記載の方法。
【請求項８】
前記一つ又はそれ以上のＭＦＵを識別するステップは、前記メディアパッケージを提供するコンテンツサーバから前記パケットを受信して前記受信エンティティに伝送するネットワーク中間エンティティにより行われることを特徴とする請求項１に記載の方法。
【請求項９】
輻輳状況情報を決定するステップと、
前記受信エンティティに前記輻輳状況情報を伝送するステップと、
をさらに有することを特徴とする請求項１に記載の方法。
【請求項１０】
前記輻輳状況情報は、前記受信エンティティの加入者情報と、前記受信エンティティに関連するトラフィック特性のうち少なくとも一つにより決定されることを特徴とする請求項９に記載の方法。
【請求項１１】
マルチメディアトランスポートネットワークにおけるメディアトランスポート装置であって、
メディアパッケージ内のメディアアセットに関する合成情報(ＣＩ)を受信エンティティに伝送し、ここで、前記メディアアセットの各々は独立的にデコード可能であり、複数のメディアフラグメントユニット（ＭＦＵ）に分割される少なくとも一つのメディアプロセシングユニット（ＭＰＵ）を含み、前記受信エンティティのネットワーク状態に関する情報を含むフィードバックメッセージを受信する送受信器と、
前記ネットワーク状態と、一つのＭＰＵ内で他の複数のＭＦＵに対する一つのＭＦＵの相対的優先度を表す優先度(priority)情報と、特定ＭＦＵに従属してデコードされなければならない他の複数のＭＦＵの個数を表す従属度カウンタに基づいて前記メディアパッケージから一つ又はそれ以上のＭＦＵを識別し、前記識別されたＭＦＵをパケットにパケット化するプロセッサと、
を含むことを特徴とする装置。
【請求項１２】
前記プロセッサは、
前記メディアパッケージ内の前記メディアアセットに対するアセット配信特性（ＡＤＣ）の各々から前記メディアアセットの優先度を表すサービス品質(ＱｏＳ)ディスクリプタと前記メディアアセットのビットレートを表すビットストリームディスクリプタとを読み出し、
前記ＡＤＣから読み出された情報を用いて、前記メディアパッケージのうち、前記ネットワーク状態によって伝送可能な一つ又はそれ以上のメディアアセットを識別し、
前記識別された一つ又はそれ以上のメディアアセットのメディアデータをパケット化することを決定することを特徴とする請求項１１に記載の装置。
【請求項１３】
前記プロセッサは、
前記ＣＩ及び前記メディアアセットに対するアセット配信特性（ＡＤＣ）を用いて、前記メディアパッケージのうち、前記ネットワーク状態によって伝送可能な前記一つ又はそれ以上のＭＦＵを識別することを特徴とする請求項１１に記載の装置。
【請求項１４】
前記プロセッサは、
前記ＣＩ内に含まれた従属アセット識別子を読み出し、
メディアアセットのタイプを識別し、
前記メディアアセットに対するアセット配信特性（ＡＤＣ）の各々から前記メディアアセットのビットレートを表すビットストリームディスクリプタを読み出し、
前記メディアアセットのタイプ及びビットレートに基づいて、前記ネットワーク状態に従って伝送可能な一つ又はそれ以上のメディアアセットを識別し、
前記識別されたメディアアセットのメディアデータをパケット化することを決定することを特徴とする請求項１３に記載の装置。
【請求項１５】
前記プロセッサは、
前記メディアパッケージに含まれる各ＭＰＵのヘッダーから、前記優先度情報と前記従属度カウンタを獲得し、
前記優先度情報及び従属度カウンタを用いて、前記ネットワーク状態によって前記ＭＰＵのＭＦＵのうちのドロップする一つ又はそれ以上のＭＦＵを識別し、
前記ドロップされた一つ又はそれ以上のＭＦＵを除いた残りのＭＦＵをパケット化することを決定することを特徴とする請求項１１に記載の装置。
【請求項１６】
前記プロセッサは、
伝送される各パケットのヘッダーを判定し、
前記パケットのヘッダーから、前記パケットに含まれて、少なくとも一つのメディアフラグメントユニット（ＭＦＵ）の相対的優先度を表す優先度情報を読み出し、
前記優先度情報を用いて前記ネットワーク状態に従ってドロップする少なくとも一つのパケットを決定し、
前記ドロップされた少なくとも一つのパケットを除いた残りのパケットを伝送することを決定することを特徴とする請求項１１に記載の装置。
【請求項１７】
前記送受信器は、
前記プロセッサにより決定された輻輳状況情報を前記受信エンティティに伝送することを特徴とする請求項１１に記載の装置。
【請求項１８】
前記輻輳状況情報は、前記受信エンティティの加入者情報と前記受信エンティティに関連するトラフィック特性のうちの少なくとも一つによって決定されることを特徴とする請求項１７に記載の装置。